(57)【要約】【課題】万歩計を利用して健康管理できること。【解決手段】万歩計１は、表示部１１と、歩数をカウントするカウンター１２と、万歩計制御部１３とを備える他、該万歩計制御部１３の指令によってカウンター１２内の歩数データをＰＣ２に送信する送信部１４が備えられる。ＰＣ２には、マウス２１、キーボード２２などからなる入力部２３と、表示部２４と、インストールされた種々のソフトに所定の処理を行わせるＰＣ制御部２５と、メモリ２６と、ハードディスク２７とが備えられ、また万歩計１の送信部１４からの歩数データを受け取る受信部２８が備えられると共に、健康管理を行う、いわゆるソフトとしての記録格納媒体３が備えられている。【選択図】　図２
2004121762.tif 000002
【特許請求の範囲】
【請求項１】
万歩計によってカウントされた歩数に基づいて健康管理する健康管理方法であって、
万歩計によって歩数がカウントされたとき、該カウントされた歩数データを日毎別に記録しかつ表示して健康管理することを特徴とする健康管理方法。
【請求項２】
万歩計によってカウントされた歩数に基づいて健康管理する健康管理装置であって、
万歩計でカウントされた歩数データを電子計算機に送信する送信部と、電子計算機に設置され、かつ前記送信部からの歩数データを受信する受信部とを備えることを特徴とする健康管理装置。
【請求項３】
請求項２記載の健康管理装置において、
電子計算機上に送信された歩数データに基づき、少なくとも、消費カロリー計算と距離とのいずれかに一方に換算する手段を有することを特徴とする健康管理装置。
【発明の詳細な説明】
【０００１】
【発明の属する技術分野】
本発明は、健康管理方法、及び健康管理装置に係り、特に歩数をカウントする万歩計を利用して健康管理を行う技術に関する。
【０００２】
【従来の技術】
万歩計は、携帯しながら歩くと、その歩数がカウントされる構成であり、極めて便利である。現代人は、種々雑多の用事が多く、かつ多忙な日々を送っていることから、特にデスクワークをしている人々は、毎日歩くことが少なく、また自己の健康管理上から、歩数計を利用している人がある。
【０００３】
【発明が解決しようとする課題】
このように、日常、万歩計を使用している人が少なくないものの、日々歩いた歩数を管理しようとすると、その歩数を自分で書きとめたりしなければならず、手間がかかるのが実状であり、また、書きとめないでおくと、それまで歩いた日々の歩数を記録しておくことが困難であり、自己の健康管理の記録を継続的に行うことができにくかった。
【０００４】
本発明は、上記従来技術の問題点に鑑み、その目的とするところは、万歩計を利用して健康管理できる健康管理方法を提供することにあり、また、他の目的は、上記方法を的確に実施し得る健康管理装置を提供することにある。
【０００５】
【課題を解決するための手段】
上記課題を解決するために本発明においては、以下の手段を採用している。
請求項１に係る発明は、万歩計によってカウントされた歩数に基づいて健康管理する健康管理方法であって、万歩計によって歩数がカウントされたとき、該カウントされた歩数データを日毎別に記録しかつ表示して健康管理することを特徴とする。
この発明に係る健康管理方法によれば、歩数データを日毎別に記録しかつ表示することで、それまでの歩数を必要なときに見ることができ、健康管理を良好に行える。
【０００６】
請求項２に係る発明は、万歩計によってカウントされた歩数に基づいて健康管理する健康管理装置であって、万歩計でカウントされた歩数データを電子計算機に送信する送信部と、電子計算機に設置され、かつ前記送信部からの歩数データを受信する受信部とを備えることを特徴とする。
この発明に係る健康管理装置によれば、歩数データを電子計算機に送信することで、必要なとき、電子計算機を用いてそれまでの歩数履歴などを見ることができ、しかも電子計算機にいちいち手動で打ち込むことが不要になると共に、自分で行うことなく管理することができ、健康管理を良好に行うことができる。
【０００７】
請求項３に係る発明は、請求項２記載の健康管理方法において、電子計算機上に送信された歩数データに基づき、少なくとも、消費カロリー計算と距離とのいずれかに一方に換算する手段を有することを特徴とする。
この発明に係る健康管理装置によれば、歩数を消費カロリーや距離に換算できるので、自分でいちいち計算しなくとも、良好な健康管理を行うことができる。
【０００８】
【発明の実施の形態】
以下、本発明の実施の形態を、図面に基づいて説明する。図１〜図３は本発明の一実施形態に係る健康管理方法を利用した健康管理装置を示し、図１は健康管理装置の概略図、図２は健康管理装置の構成図、図３は健康管理されたプログラム内容を示す説明図である。
この健康管理方法は、図１に示す万歩計１を利用し、万歩計１によって歩数がカウントされると、該カウントされた歩数データを、電子計算機としてのパーソナルコンピュータ（以下、ＰＣと略称す）２に出力することで、ＰＣ２が歩数データに基づいて日毎別に記録したり表示したりして健康管理を行うようになっている。
【０００９】
そのため、万歩計１としては、図１に示す表示部１１と、図２に示すように、歩数をカウントするカウンター１２と、万歩計制御部１３とを備える他、該万歩計制御部１３の指令によってカウンター１２内の歩数データをＰＣ２に送信する送信部１４が備えられ、図示しないスイッチをオンすると、ＰＣ２に歩数データを送信できるようになっている。
【００１０】
一方、ＰＣ２には、図１及び図２に示すマウス２１、キーボード２２などからなる入力部２３と、表示部２４と、それら入力部２３の入力内容に基づいてインストールされた種々のプログラムソフトに所定の処理を行わせるＰＣ制御部２５と、メモリ２６と、ハードディスク２７とが備えられている。また、ＰＣ２には、万歩計１の送信部１４からの歩数データを受け取る受信部２８が備えられると共に、健康管理を行う、いわゆる健康管理ソフトとしての記録格納媒体３とが備えられている。
【００１１】
そして、万歩計１とＰＣ２とが通電状態にあるとき、送信部１４をオンすることで、受信部２８が送信部１４からの歩数データを受け取ると、記録格納媒体３がＰＣ制御部２５の指令に基づいて処理することで、日毎の健康管理を行うことができるようになっている。
【００１２】
その場合、記録格納媒体３の処理内容としては、例えば図３に示すように、受信部２８が送信部１４からの歩数データを受け取ることで、今まで送信された過去の歩数データが月日毎に表示されると共に、その歩数データが換算されて消費カロリーとしても表示されるようになっている。
【００１３】
また、利用者が予め設定しておいた一日当たりの目標歩数Ｙが表示され、更には図示していないが、表示部に表示された画面を切り換えることで、選択された特定日の歩数に基づいて距離（ｋｍ）に換算することができ、しかもその距離が身長の大きさなどに応じて変動するようになっている。これは、身長に応じて歩幅の大きさ（長さ）が異なることに起因しており、可及的に正確な表示がなされるようになっている。
【００１４】
このような記録格納媒体３は、予め利用者の体重、身長、年齢、性別等のような必要条件が入力されることで、それらの必要条件に基づいた内容で健康管理を行えるようになっている。
なお、図１において、符号２０はＰＣ２の本体である。図３において、Ｘは万歩計に歩数データがカウントされておらず、万歩計が使用されなかったことを表す空欄部であり、これによっても使用された日や使用されていない日も明確となっている。
【００１５】
更に、万歩計１側の送信部１４と、ＰＣ２側の受信部２８とは、図２に示すように、歩数データを無線で送受信できるように構成されているが、有線で構成してもよいのは勿論である。万歩計１は、内蔵電池（図示せず）で駆動される。
【００１６】
本実施形態の健康管理装置は、上記のように構成されているので、次にその取扱いについて以下に説明する。
まず、利用者が万歩計１を携帯しながら散歩すると、カウンター１２がその歩数をカウントすることとなる。このカウントされた歩数データは、リセット釦（図示せず）が押下されない限り、保持されることとなる。
【００１７】
そして、利用者が自宅に戻り、図１及び図２に示す万歩計１及びＰＣ２を通電状態にして万歩計１の送信部１４をオンすると、カウンター１２によってカウントされた歩数データが、万歩計制御部１３を介して送信部１４からＰＣ２の受信部２８に送信される。
【００１８】
一方、ＰＣ２においては、記録格納媒体３が起動されているとき、受信部２８が万歩計１からの歩数データを受信すると、その日の歩数データとして新たに追加されることとなる。つまり、万歩計１の歩数データがＰＣ２の対応するソフトに記録され、かつ月日毎に表示される。この場合、図３に示すように一度に表示される範囲は、プログラムに従って設定されているが、図示表示されていない歩数データに関しては、カーソルを逆走査させたり、或いは月日を入力したりすることで該当月日の歩数データが表示されることとなる。
【００１９】
また、万歩計１の歩数データが送信された後、リセット釦を押下して、同日に再び散歩して歩数が新たにカウントされた場合、その歩数データを再び送信部１４からＰＣ２に送信すると、記録格納媒体３では、同日の歩数データに自動的に累積されることとなる。
【００２０】
このように、本発明方法では、万歩計１によって歩数がカウントされたとき、該カウントされた歩数データを日毎別に記録しかつ表示することで、健康管理するので、万歩計１の歩数データをＰＣ２に入れておくことができる。そのため、歩数データをいちいち書きとめることが不要になり、万歩計１とＰＣ２間で送受信させるだけで、それまでの歩数の管理を簡単に行え、健康管理を良好に行うことができる。
【００２１】
そして、この健康管理装置は、万歩計１に設けられ、かつ該万歩計の歩数データを送信する送信部１４と、ＰＣ２に設けられ、送信部１４からの歩数データを受信する受信部２８と、該受信された歩数データを日毎別に記録して表示する記録格納媒体３を備えて構成したので、ＰＣ２上で歩数データを管理することができ、上記方法を的確に実施することができる。
【００２２】
しかも、記録格納媒体３は、歩数データに基づいて消費カロリーや距離に換算したりするので、色々な楽しみを招くこともでき、利用者に興味をもたせることもできる。
【００２３】
また、万歩計１とＰＣ２間は、無線にて送受信できるので、いちいちケーブルを接続する手間が不要になる。このような万歩計１の送信部１４と、ＰＣ２の受信部２８との間の送受信は、微弱電波が出力されることで実現でき、周辺に外乱ノイズを発生させるおそれがないものである。
【００２４】
【発明の効果】
以上説明したように、本発明によれば、万歩計によってカウントされた歩数データを、日毎別に記録しかつ表示するように構成したので、歩数データをいちいち書きとめることが不要になり、それまでの歩数を必要なときに見ることができ、健康管理を良好に行うことができる効果が得られる。
【図面の簡単な説明】
【図１】本発明の一実施形態に係る健康管理方法を利用した健康管理装置を示す概略図である。
【図２】図１における健康管理装置の構成を示すブロック図である。
【図３】記録格納媒体によってプログラム表示・管理された内容を示す説明図である。
【符号の説明】
１　万歩計
１２　カウンター
１４　送信部
２　電子計算機
３　記録格納媒体
２８　受信部
【図１】
2004121762.tif 000003
【図２】
2004121762.tif 000004
【図３】
2004121762.tif 000005